(57)【要約】【課題】外形の大型化、ケーブルとコンタクト接続部への付加を軽減し、ケーブルへのストレスを最小限に抑えること。【解決手段】ハウジング２１へ前記コンタクト１１を挿入する挿入方向Ａで前記ハウジング２１内へ挿入した後に前記挿入方向Ａへ挿入され前記ハウジング２１内で係止させる係止部材３１とを含み、前記ハウジング２１は、前記コンタクト１１を収納する第１収納部２３と、前記係止部材３１を保持する第２収納部２４とを有し、前記係止部材３１は、前記ハウジング２１と協動して前記ケーブル４１を保持するケーブル保持部３４と、前記コンタクト１１に接続するケーブル４１を挿通する挿通部３３ｄ，３５ｄとを有する。【選択図】図１
2005085519.tif 000002
【特許請求の範囲】
【請求項１】
導電性のコンタクトと、該コンタクトを収納するハウジングと、前記ハウジングの一側の開口部から前記コンタクトを挿入する挿入方向でハウジング内へ挿入した後に前記開口部から前記挿入方向へ挿入され前記ハウジング内で係止させる係止部材とを含むコネクタにおいて、
前記ハウジングは、前記コンタクトを収納する第１収納部と、前記係止部材を保持する第２収納部とを有し、前記係止部材は、前記コンタクトに接続するケーブルを挿通する挿通部と、前記第２収納部と協動して前記ケーブルを保持する変位可能なケーブル保持部と、前記第１収納部内に収納させた前記コンタクトが前記挿入方向とは逆向きへ移動するのを阻止するよう前記ハウジング内で係止する係止部とを有していることを特徴とするコネクタ。
【請求項２】
請求項１記載のコネクタにおいて、前記ケーブル保持部は、前記第２収納部に前記係止部材を挿入した際に、前記第２収納部に当接するよう突出している第１突部を有していることを特徴とするコネクタ。
【請求項３】
請求項１記載のコネクタにおいて、前記ケーブル保持部は、前記挿通部側に向けて突出した第２突部を有していることを特徴とするコネクタ。
【発明の詳細な説明】
【技術分野】
【０００１】
本発明は、ハウジング内にコンタクトを保持する係止部材を有するコネクタに関するものである。
【背景技術】
【０００２】
従来、端子金具の挿入を可能としたキャビティが形成されているとともにこのキャビティの開口部が端子金具の挿入口とされているコネクタハウジングと、挿入口を覆うようにコネクタハウジングに取り付けられるカバー部品とを備えたコネクタがある。
【０００３】
カバーには、コネクタハウジングへの取り付け状態において正規に挿入されている端子金具に係合することにより、その端子金具の抜け方向の移動を規制する規制部が形成されている。
【特許文献１】特開平１０−３２１２８１号公報
【発明の開示】
【発明が解決しようとする課題】
【０００４】
従来のコネクタは、キャビティの開口部をカバーするためコネクタハウジングの外周を覆うカバー部品があるので外形の大型化を伴うという問題がある。
【０００５】
また、カバー部品がコネクタハウジングの外周を覆う構造のため、カバー部品自身が外力を受けやすいという問題がある。
【０００６】
また、ケーブルを引き出す方向がコネクタハウジングへのコンタクト装着方向を向いてしまうので、引き回しの際、ケーブルへのストレスを伴うと共にコネクタのレイアウトが制限されるという問題がある。
【０００７】
さらに、ケーブル引き出し方向がコネクタハウジングへのコンタクト装着方向を向いてしまうので、ケーブルを保持するための効果はあるが、ケーブルを屈曲させて芯線にストレスを加えてしまうという問題がある。
【課題を解決するための手段】
【０００８】
本発明は、導電性のコンタクトと、該コンタクトを収納するハウジングと、前記ハウジングの一側の開口部から前記コンタクトを挿入する挿入方向でハウジング内へ挿入した後に前記開口部から前記挿入方向へ挿入され前記ハウジング内で係止させる係止部材とを含むコネクタにおいて、前記ハウジングは、前記コンタクトを収納する第１収納部と、前記係止部材を保持する第２収納部とを有し、前記係止部材は、前記コンタクトに接続するケーブルを挿通する挿通部と、前記第２収納部と協動して前記ケーブルを保持する変位可能なケーブル保持部と、前記第１収納部内に収納させた前記コンタクトが前記挿入方向とは逆向きへ移動するのを阻止するよう前記ハウジング内で係止する係止部とを有していることを特徴とするコネクタことを最も主要な特徴とする。
【発明の効果】
【０００９】
本発明のコネクタによれば、係止部材がハウジングの収納部に収納されるものであるので外形を小型化できるという利点がある。
【００１０】
また、係止部材はハウジングの収納部に収納されるものであるので、係止部材自身が直接外力を受けにくいという利点がある。
【００１１】
また、係止部材には、ケーブル保持部を設けたことによって、ケーブルとコンタクトとの接続部への負荷を軽減させることができる。
【００１２】
また、ケーブルの引き出し方向は、コンタクトの装着方向にまっすぐに引き出せるのでケーブルの引き回しの際のケーブルへのストレスを最小限に抑えることができ、コネクタのレイアウトの制限も最小に抑えることができる。
【００１３】
また、ケーブル保持方法は、外皮を締め付けるものであり、ケーブルの芯線へのストレスを最小限に抑えることができるという利点がある。
【００１４】
また、係止部材にケーブル保持部を備えたことにより、ケーブルの外力によるコンタクトとケーブルとの接続部への負荷を軽減でき、信頼性の向上を図ることができ、係止部材にケーブル保持部を備えたことにより、部品の削減や小型化が可能となる。
【発明を実施するための最良の形態】
【００１５】
ハウジングは、前記コンタクトを収納する第１収納部と、係止部材を収納しかつ保持する第２収納部とを有し、前記係止部材は、前記コンタクトに接続するケーブルを挿通する挿通部と、第１収納部内に位置させ前記コンタクトが前記挿入方向とは逆向きへ移動するのを阻止するよう前記ハウジング内で係止する係止部と、前記ハウジングと協動して前記ケーブルを保持するケーブル保持部を有する。
【実施例１】
【００１６】
図１乃至図３は、本発明に係るコネクタの実施例１を示している。図１乃至図３を参照して、コネクタは、導電性のコンタクト１１と、コンタクト１１が収納されている略四角筒形状のハウジング２１と、ハウジング２１の一側の開口部２２からコンタクト２１を挿入する挿入方向Ａでハウジング２１内へ挿入した後に開口部２２から挿入方向Ａへ挿入されハウジング２１内で係止させる係止部材３１とを備えている。
【００１７】
コンタクト１１は、ケーブル４１の芯線に圧着して接続する芯線圧着部１３と、芯線圧着部１３の一方端側から延びている接触部１４と、芯線圧着部１３のもう一方端側から延びてケーブル４１の被覆部分を圧着する被覆部１５と、被覆部１５のもう一方端側から延びている係止部１６とを有している。
【００１８】
ハウジング２１は、複数のコンタクト１１を収納する複数の第１収納部２３と、係止部材３１を収納しかつ保持する第２収納部２４とを有している。なお、この実施例におけるハウジング２１では、四本のコンタクト１１を収納するように互いに平行に配置されている一対の第１側板２１ａと、箱形状となるように第１側板２１ａ間を接続している一対の第２側板２１ｂと、第１側板２１ａ間で上下を仕切る第１仕切板２１ｂと一対の側板２１ａ間を仕切る第２仕切板２１ｃとによって４つに分割された第１収納部２３が形成されている。
【００１９】
また、ハウジング２１の引抜方向Ｂ側には、ハウジング２１の一対の側板２１ａ間の幅寸法よりも若干大きな幅寸法の間隔をもって互いに平行に配されている一対の第１係止用側板２１ｄと、箱形状となるように第１係止用側板２１ｄ間を接続している一対の第２係止用側板２１ｅとが形成されている。
【００２０】
一対の第１係止用側板２１ｄには、係止部材３１が第２収納部２４に挿入した際に、引抜方向Ｂへ係止部材３１が移動するのを阻止するために係止する穴形状の窓部２１ｆが形成されている。
【００２１】
係止部材３１は、略四角筒形状の基部３３と、基部３３の相対する上下で一対の第１面３３ａと、箱形状となるように一対の第１面３３ａ間を接続している第２面３３ｂと、第１面３３ａのそれそれに一対が形成されているケーブル保持部３４と、基部３３の相対する一対の第１面３３ａのそれそれにケーブル保持部３４を介して設けられている板状のガイド板部３５と、ハウジング２１内に収納した後のコンタクト１１が挿入方向Ａとは逆向きの引抜方向Ｂへ移動するのを阻止し係止するように基部３３の挿入方向Ａ側の端面から挿入方向Ａへ延びている一対の抜止部３６とを有している。
【００２２】
一対の抜止部３６は、挿入方向Ｂでハウジング２１の第１仕切板２１ｂの上下に一つづつが挿入されたときに、第２仕切板２１ｃを逃げるように切り欠き部３６ａが形成されている。
【００２３】
ケーブル保持部３４は、基部３３の一対の第１面３３ａ上で挿入方向Ａ及び引抜方向Ｂに長い寸法に形成されており、基部３３の一対の第１面３３ａ上で互いに挿入方向Ａ及び引抜方向Ｂを直交する方向に所定間隔をもって設置されている。
【００２４】
また、ケーブル保持部３４は、基部３３の一対の第１面３３ａ上で挿入方向Ａ側の端部が基部３３の一対の第１面３３ａに固定されており、挿入方向Ａ側から引抜方向Ｂへ延びている部分が基部３３の一対の第１面３３ａに所定間隔をもって対向している。ケーブル保持部３４の引抜方向Ｂ側の端部には、挿入方向Ａ及び引抜方向Ｂを直交する方向で基部３３の一対の第１面３３ａよりも外側に若干突き出している第１突部３４ａと、挿入方向Ａ及び引抜方向Ｂを直交する方向で基部３３の一対の第１面３３ａ上へ突き出している第２突部３４ｂとが形成されている。
【００２５】
係止部材３１の第２面３３ｂには、挿入方向Ａでハウジング２１の開口部２２から挿入されたときに窓部２１ｆに係止する係止突起３７が形成されている。
【００２６】
基部３３の一対の第１面３３ａのそれぞれ一対が形成されているケーブル保持部３４は、挿入方向Ａ側から引抜方向Ｂへ延びている部分がハウジング２１と協動してケーブル４１を保持するものである。
【００２７】
さらに、基部３３の一対の面３３ａには、一対のケーブル保持部３４間でかつ挿入方向Ａ及び引抜方向Ｂにケーブル４１を挿通するための溝状の第１挿通部３３ｄが形成されている。また、一対の第１面３３ａのそれぞれに対向しているガイド板部３５の対向面３５ａには、第１挿通部３３ｄに対向するように一対のケーブル保持部３４間でかつ挿入方向Ａ及び引抜方向Ｂにケーブル４１を挿通するための溝状の第２挿通部３５ｄが形成されている。
【００２８】
以下に、図１、図３及び図４を参照して、コネクタの組立作業について説明する。
【００２９】
始めに、図４に示すように、係止部材３１の第１及び第２挿通部３３ｄ，３５ｄ間の空間にケーブル４１を挿通する。第１及び第２挿通部３３ｄ，３５ｄ間にケーブル４１を挿通した状態では、ケーブル保持部３４の第１突部３４ａがケーブル４１に合わせてケーブル４１が第１突部３４ａを押し広げるように変位させるのでケーブル４１へのストレスは加わっていない。そして、コンタクト１１とケーブル４１とを接続した後、コンタクト１１の接触部１４を前方としてハウジング２１の開口部２２から挿入方向Ａでコンタクト１１を第１収納部２３へ挿入していく。
【００３０】
さらに、係止部材３１を挿入方向Ａで第２収納部２４へ挿入する。この際、ケーブル保持部３４の一対の第１突部３４ａがハウジング２１の第２収納部２４の第１係止用側板２１ｄの内面を摺動しながら挿入されるので、一対の第１突部３４ａを押圧して撓ませる。
【００３１】
したがって、図１に示したように、ケーブル４１の外皮が一対の第２突部３４ｂによって押圧されるので一対のケーブル保持部３４の第２突部３４ｂ間に締め付け挟持されるように第２突部３４ｂの強制的な変位（図１の寸法Ｃを参照）することによってケーブル４１が係止部材３１に保持される。
【００３２】
この際、一対の抜止部３６は、挿入方向Ｂでハウジング２１の第１仕切板２１ｂの上下に一つづつが挿入されて、第２仕切板２１ｃを逃げるように形成されている切り欠き部３６ａが第１収納部２３の引抜方向Ｂ側に位置し、抜止部３６の挿入方向Ａ側の先端がコンタクト係止部１６の端面に当接することによって、コンタクト１１が引抜方向Ｂへ移動するのを阻止する。
【００３３】
また、ケーブル４１が係止部材３１に保持されたときには、係止部材３１の係止突起３７がハウジング２１の窓部２１ｆに係止されて係止部材３１がハウジング２１から引抜方向Ｂへ抜けるのを阻止する。
【産業上の利用可能性】
【００３４】
本発明は、ハウジングにコンタクトを挿入方向で挿入して保持するコネクタの不可欠な用途にも適用できる。
【図面の簡単な説明】
【００３５】
【図１】本発明に係るコネクタの実施例１を示す断面図である。
【図２】図１に示したコネクタの平面図である。
【図３】図１に示したコネクタを分解し一部を断面して示した斜視図である。
【図４】図１に示した係止部材をハウジングに挿入する前にケーブルを挿入した状態を示す断面図である。
【符号の説明】
【００３６】
１１    コンタクト
１４    接触部
１６    係止部
２１    ハウジング
２１ａ    第１側板
２１ｂ    第２側板
２１ｄ    第１係止用側板
２１ｅ    第２係止用側板
２１ｆ    窓部
２２    開口部
２３    第１収納部
２４    第２収納部
３１    係止部材
３３    基部
３３ａ    第１面
３３ｂ    第２面
３３ｄ    第１挿通部
３４    ケーブル保持部
３４ａ    第１突部
３４ｂ    第２突部
３５    ガイド板部
３５ａ    対向面
３５ｄ    第２挿通部
３６    抜止部
３６ａ    切り欠き部
３７    係止突起
４１    ケーブル
【図１】
2005085519.tif 000003
【図２】
2005085519.tif 000004
【図３】
2005085519.tif 000005
【図４】
2005085519.tif 000006